【事件の表示】
　特願２０１２−１５９１６３号「サイクロン集塵装置、電気掃除機」拒絶査定不服審判事件〔平成２４年１２月　６日出願公開，特開２０１２−２３６０４２号〕について，次のとおり審決する。
【結　論】
　本件審判の請求は，成り立たない。
【理　由】
１　手続の経緯
　本願は，平成１９年　８月３０日に出願した特願２００７−２２４５６９号の一部を平成２３年　７月２５日に新たな特許出願とした特願２０１１−１６１４９１号の一部を，平成２３年１１月１４日に新たな特許出願とした特願２０１１−２４８３４６号の一部を平成２４年　７月１８日に新たな特許出願としたものであって，平成２６年　６月２６日付けで拒絶査定され，平成２６年　９月２６日に拒絶査定不服審判が請求されると同時に手続補正書が提出された後，平成２７年１２月　２日付けで当審の拒絶理由が通知され，平成２８年　２月　８日に意見書及び手続補正書が提出されたものである。
　
２　本願発明
　本願の請求項１に係る発明（以下，「本願発明」という。）は，平成２８年　２月　８日提出の手続補正書によって補正された明細書，特許請求の範囲および図面の記載からみて，その特許請求の範囲の請求項１に記載された次の事項により特定されるとおりのものと認められる。
「塵埃を含む空気を導入し内周面に沿って旋回させる導入口を有し、旋回により分離された塵埃を収容する集塵容器、該集塵容器の内部に設けられ分離後の空気を排気するための内筒排気口が形成され、該排気口を介して排気する内筒を有するサイクロン集塵装置において、
　前記内筒は、前記集塵容器の底部まで延設される中空円筒を有し、
　前記内筒の上部には、該排気口を介して排気された空気を濾過して排気する上部フィルタ、および前記上部フィルタにて濾過された塵埃を除塵する除塵部材を有し、
　前記集塵容器の底部には、当該底部より突出し、前記内筒の中空円筒に挿入される突出部、および該突出部の外周に設けられ隙間を埋めるシール部材を有し、
　前記除塵部材により除塵されて前記上部フィルタから落下した塵埃は、前記集塵容器の底部に収容されることを特徴とするサイクロン集塵装置。」
　
３　刊行物
（１）　本願の出願前に日本国内において頒布され，当審の拒絶理由に引用した特開２００７−２９７２１号公報（以下，「引用例１」という。）には，図面と共に次の事項が記載されている。
　
（ア）　「【請求項２７】
　吸引入り口およびゴミカップ受け取り部を有するハウジング、
　上記ゴミカップ受け取り部に受け取られたゴミカップ、
　上記ゴミカップに受け取られたフィルター、
　上記ハウジングに支持され、かつ上記吸引入り口および上記ゴミカップと流体連絡するように配設された吸引発生装置であって、空気を吸引入り口に取り込み、かつ上記フィルターに吸引することによってゴミ屑を上記ゴミカップに捕集する吸引発生装置、
　上記フィルターに係合し、ゴミ屑を振動によってふるい落とす回転クリカー、および
　上記回転クリカーを駆動するモータを有することを特徴とする床クリーナ装置。」
　
（イ）　「【０００３】
　ゴミ回収容器については、多くの場合、この容器に円筒形の側壁および向きが接線方向にある空気取り入れ口を配設することによって、サイクロン状の空気流れを発生するように設計されている。この構成では、空気がゴミ回収室を中心にしてサイクロン状に旋回する。遠心力が発生し、これがゴミや屑をゴミ回収室の円筒形側壁に向かわせ、比較的クリーンな空気をゴミ回収室の中心からフィルターを介して吸引発生装置に送り込むことができる。
【０００４】
　大半の掃除条件下では、ゴミ屑のほとんどかすべてがサイクロン状の空気流れによって空気流から除去されるが、若干のゴミ屑が空気流に連行されたままになることもある。例えば、この残留ゴミ屑は、サイクロン状の空気流れが発生する遠心分離力が作用しない軽量の比較的細かいゴミ粒子からなる。時間が経過するうちに、細かな粒子は連行され、フィルター媒体の孔を詰まらせ、空気流れを制限するため、真空掃除機の掃除効率が低下することになる。最後には、真空掃除機の掃除効率が落ちるため、フィルターを洗浄するか、あるいは交換し、掃除レベルを望むレベルに回復する必要がある。本発明は、より効率が高く、またより有効なフィルタークリーニング機構を備えた真空掃除機に関する。本発明は、特に細かい粒子を始めとするゴミ屑をフィルター孔から迅速かつ簡単に取り除くことができる作用効果をもつ。この結果、各フィルターの可使寿命が延び、従って、この延びた可使期間全体にわたって真空掃除機をより高い掃除効率で使用することができる。」
　
（ウ）　「【００１９】
　図２からよく理解できるように、ゴミ回収容器３０はゴミカップ部分３６および蓋部分３８を有する。ゴミカップ部分３６は、段差のついた側壁３５および底壁３７を有し、そして蓋部分３８は、第１要素４０、第２要素４２および第３要素４３を有する。第１要素４０は、ゴミ混じり空気入り口４４およびフィルターキャビティー４６を有する。第２要素４２は、クリーンな空気の出口４８およびクリーンな空気の入り口５０を有する。
【００２０】
　フィルター５２は、第１要素４０のフィルターキャビティー４６に受け取られる。フィルター５２は、側壁５４、ハブ５６、およびハブと側壁との間に配設した複数の仕切り部分５８を有する（図７も参照）。仕切り板５８は、フィルター５２を複数の部分６０に分割する作用をもつ。よく知られているタイプのフィルター媒体６２を側壁５４、ハブ５６および各部分６０を構成する仕切り板５８の間に配設する。
【００２１】
　内側支持体６４は、底壁３７からゴミカップ部分３６内側に配設する。この内側支持体６４に、プレフィルター６６を設ける。プレフィルター６６は、一連の吸気開口６８を有し、これら開口が、以下詳しく説明する態様で空気流れを作る。
【００２２】
　図示の態様の場合、ゴミ回収容器３０については、サイクロン状の空気流れを発生し、これによって遠心力を使用し、ゴミ屑を空気流から取り除く効率を改善するように設計構成する。即ち、図２に明示するように、ゴミカップ部分３６、蓋部分３８、内側支持体６４、プレフィルター６６およびフィルター５２についてはほぼ円筒形に構成する。図３および図５に示すように、内側支持体６４およびプレフィルター６６については、ゴミカップ部分３６の側壁３５内に同心円状に装着する。また、フィルター５２については、蓋部分３８の第１要素４０のフィルターキャビティー４６内に同心円状に装着する。ゴミ混じり空気の入り口４４については、（ａ）外側の第１要素４０および側壁３５と（ｂ）内側の内側支持体６４およびプレフィルター６６との間に形成した環状スペースＳに接線方向に設ける。空気流は、円形パターンまたは渦巻パターンで環状スペースＳの周囲に流れ、遠心力を発生する。この遠心力が、空気流内のゴミ屑を側壁３５に向けて外側に流動させ、これによってゴミ屑をゴミカップ部分３６に集める。同時に、フィルター５２を介して方向が上向きになっている、環状スペースＳの内壁にそってプレフィルター６６に設けられた吸気開口６８から比較的クリーンな空気が流れ込む。具体的には、ゴミ混じり空気は、フィルター媒体６２を通過するさいに、空気流中に残っている細かなゴミ屑があればこれを捕集する。一方、クリーンな空気はフィルター媒体を通過し、クリーンな空気の出口４８から吸引発生装置３２に流れる。床クリーナ装置の通常使用時の空気流れの方向は、図３の矢印で示す方向である。」
　
（エ）　「【００３１】
　本発明の場合、このフィルター５２をその場でクリーニング処理できるため、きわめて便利であり、また効率がよい。具体的に説明すると、ステッパモータ８４を始動し、相互に噛み合う駆動ギア８０、８２によって空気案内部材８６を４５°の円弧軌道で回動させる。これは、空気案内部材８６を回動するように作動し、それにより、その出口９０がフィルター５２の部分６０の一つと正確に一致させる。第１駆動ギア８０が回動すると同時に、第１カム７８が図４に示す位置から図６に示す位置まで回動する。この回動が生じると、カムフォロワー７６が第１カム７８の上までせり上がり、第１流れ弁７２がピン７４を中心に回動し、クリーンな空気の入り口５０に接続する対向口７３が開く。
【００３２】
　ステッパモータ８４により駆動ギア８０、第１カム７８および空気案内部材８６が回動すると、第２カム９８も回動する。第２カムフォロワー１００がカム９８の上に乗り上げ、第２流れ弁９２を持ち上げる。すると、その上縁部が吸気開口６８の上方でその全周にわたってプレフィルター６６に係合する。なお、対向口７３が第１流れ弁７２の作用により開くと、第２流れ弁９２がプレフィルター６６からクリーンな空気の出口４８への空気の流れを遮断する。従って、吸引発生装置３２が対向口７３およびクリーンな空気の取り入れ口５０を介してクリーンな空気を取り入れる。次に、この空気は、空気案内部材８６の入り口８８から取り込まれ、その出口９０で方向を変え、上記出口と位置が一致しているフィルター５２の部分６０に向かう。クリーンな空気が掃除機の通常の動作方向とは逆方向にフィルター５２の所定部分６０に流れるため、ゴミ（特にフィルター孔からの細かいゴミ）がフィルター媒体６２から追い出されることになる。クリーン処理すべきフィルター５２の各部分６０から追い出されたゴミは、内側支持体６４の粒子トラップ１２０に取り込まれる。これは、大部分が、支持体の形状によるものである。即ち、実質的に円筒形の下端１２４に、この下端のよりも円周方向の開口が小さい中間ボトルネック部分１２６によって接続されている円錐台形上端１２４を有する支持体の形状によるものである。次に、比較的クリーンな空気が、案内部材８６の出口９０に位置が一致していないフィルター５２の他の部分６０に逆流してから、導管４８を通って、吸引発生装置３２に流れる
。
【００３３】
　なお、空気案内部材の出口９０は円弧状であり、その幅はフィルター５２の一部分６０相当である。本実施態様のこの部分の円弧角度は４５°である。即ち、空気案内部材８６と位置が一致しないフィルター５２の他の部分の円弧角度が３１５°であることを意味する。これは、空気が最初に通過する４５°の円弧と比較した場合、横断面がはるかに大きいことを意味する。この結果圧力が低下するため、空気案内部材８６と位置が一致しているフィルターの部分６０からクリーニング処理されたゴミ屑が、空気流から落下し、支持体６４の粒子トラップ１２０に取り込まれ、保持されることを確実にできる。従って、クリーニング処理サイクル時に、フィルター５２の所定部分６０からクリーニング処理された細かなゴミ屑粒子がフィルターの他の部分に付着することがなくなる。
【００３４】
　クリーニング処理サイクルは、例えば約１秒〜約３０秒であればよく、特に約３秒〜約１５秒であればよい。次に、ステッパモータ８４を再び始動させ、第１駆動ギア８０、第２駆動ギア８２、第１カム７８、第２カム９８を回動し、これによって第１流れ弁７２を開放位置から閉鎖位置に移動させるとともに、第２流れ弁９２を閉鎖位置から開放位置に移動させる（即ち、流れ弁７２、９２を図５、図６に示す位置から図３、図４に示す位置にもってくる）。こうすると、床クリーナ装置１０が正常動作に戻り、吸引口１８からゴミ混じり空気入り口４４を介してゴミ屑をゴミ回収容器３０に回収する。サイクロン状の空気流れが遠心力を利用して、ゴミ屑を空気流から効率よく取り除く。ゴミ屑は、比較的クリーンな空気がプレフィルター６６の吸気開口６８が取り込まれている間、ゴミカップ部分３６の環状スペースＳに捕集される。この空気は、次に、流路１１６を通ってフィルター５２に流れ、細かな粒子が残留している場合には、これを空気流が取り去り、この後出口４８を通過して、吸引発生装置３２に移動する。次に、空気流が吸引発生装置３２のモータを冷却してから、排出口を介して環境中に戻される。なお、ステッパモータ８４は、簡単に始動することができるため、床クリーナ装置の使用者の判断によって、通常の掃除モードに戻る前に、任意の数のフィルター部分６０をクリーニング処理することができる。」
　
（オ）　「【００３５】
　図８に、フィルター５２のクリーニング性をさらに改善することができる本発明の作用効果を示す。クリカー（ｃｌｉｃｋｅｒ）１３０を設けることができる。図示の実施態様では、このクリカーは、蓋部分３８に固着したスタブシャフト１３２の保持した細長い取り付けアーム１３１を有する。このアーム１３１の両端に弾性作用フラップ１３４を設ける。図８に示すように、フラップ１３４の先端が、側壁５４とハブ５６の間にあるフィルター５２の媒体６２に係合する。駆動モータ１３６を配設する。図８に実線で示すように、駆動モータをクリカー１３０に接続し、これを始動すると、蓋部分３８およびフィルター５２に対してクリカーを回動することができる。クリカー１３０が回動すると、フラップ１３４の先端が、リブ付きフィルター材料６２の頂部に係合し、これによってフィルター材料を振動させ、フィルター孔からゴミ屑を効率よくふるい落とす。振動作用単独でも良好なクリーニング作用を確保できるが、前述の空気圧によるクリーニング機構を併用するのが特に好適である。
【００３６】
　図８に示す別な実施態様の場合、（図８に点線で示す）駆動モータをフィルター５２に接続する。この構成では、クリカー１３０および蓋部分３８を静止状態においた状態で、フィルター５２を回動する。作用効果は、フィルターの回動時に、フラップ１３４の先端をリブ付きフィルター媒体６２の頂部に係合させ、これによってこの媒体を振動させ、ゴミ屑をこれからふるい落とす場合と同じである。」
　
（カ）　図２には床クリーナ装置のゴミ回収容器，フィルターおよび流れ制御弁装置を展開して示す斜視図が示され，図３には通常の掃除を行う第１位置におけるゴミ回収容器，フィルターおよび流れ制御弁装置を示す横断面図が示され，図５にはフィルターの一つの部分のクリーニング処理を行う第２位置における流れ制御弁装置を示す横断面図が示され，図８にはゴミ回収容器内で，取り出すことなくフィルターをクリーニング処理してゴミ屑をふるい落とすために使用することができる別なフィルタークリーニング処理特徴を示す概略図が示されている。
　
（キ）　図２，図３及び図８の記載からすると，ゴミ回収容器３０は，
　ｉ）　内側支持体６４の上部には，吸気開口６８を介して排気された空気を濾過して排気するフィルター５２，および前記フィルター５２にて濾過されたゴミ屑をクリーニングするクリカー１３０を有すること，
　ｉｉ）　底壁３７より突出し，内側支持体６４のほぼ円筒形部に挿入される突出状部を備えること，
　ｉｉｉ）　内側支持体６４の下端に突出状部の外周に位置するリング状の部材（図２の「内側支持体６４」の下方に図示されているリング状の部材）を備えること，
　ｉｖ）　内側支持体６４の下部に粒子トラップ１２０を備えること，
がそれぞれ看取される。
　
　これらの事項を総合すると，引用例には次の発明（以下，「引用発明」という。）が記載されているものと認められる。
　
「ゴミ混じり空気を流し環状スペースＳの周囲に流れて遠心力を発生するゴミ混じり空気の入り口４４を有し，サイクロン状の空気流れによって取り除かれたゴミ屑を回収するゴミカップ部分３６，該ゴミカップ部分３６の内側に配設され比較的クリーンな空気が流れ込む吸気開口６８を有し，該吸気開口６８が空気流れを作るほぼ円筒形に構成されたプレフィルター６６および内側支持体６４を有するサイクロン状の空気流れを発生するゴミ回収容器３０において，
　前記プレフィルター６６および内側支持体６４は，前記ゴミカップ部分３６の底壁３７から配設されるほぼ円筒形に構成され，
　前記プレフィルター６６および内側支持体６４の上部には、該吸気開口６８を介して排気された空気を濾過して排気するフィルター５２，および前記フィルター５２にて濾過されたゴミ屑をクリーニングするクリカー１３０を有し，
　前記ゴミカップ部分の底壁３７には，当該底壁３７より突出し，前記プレフィルター６６および内側支持体６４のほぼ円筒形部に挿入される突出状部，および該突出状部の外周に位置するリング状の部材を有し，
　前記クリカー１３０によりクリーニングされてゴミ屑は前記フィルター５２からふるい落とされる，サイクロン状の空気流れを発生するゴミ回収容器３０。」
　
（２）　本願の出願前に日本国内において頒布され，当審の拒絶理由に引用した特開２００４−２９０２１２号公報には，図面と共に次の事項が記載されている。
　
（ア）　「【０００１】
【発明の属する技術分野】
本願発明は、サイクロン式の集塵装置及びそれを用いた電気掃除機に関するものである。」
　
（イ）　「【００４３】
また、図６等に示すように、ダストボックス１０の底部には、吸気管１５の下部に設けられたヒンジ（開閉支点）４２により開閉自在に構成された底蓋４３が取り付けられている。この底蓋４３は、ダストボックス１０の後面側の取手部４４の上部に設けられたボタン４５を押すことにより、取手部４４に内装されて上記ボタン４５に連動するクランプ等が底蓋４３側の係止爪等より外れて、図１９に示すようにダストボックス１０の下端開口４６を開放するようになっている。また、底蓋４３の上面外周側には、ダストボックス１０の下端縁に圧接して底蓋４３を密閉するパッキン４７が装着されており、その内側には外側フィルタフィクスチャ１１の下端縁に圧接して外側集塵部２３と内側集塵部３９間を密閉するパッキン４８が設けられている。
【００４４】
従って、ダストボックス１０内の外側集塵部２３や内側集塵部３９に堆積した塵埃は、ごみ箱等の上で図１９に示すように底蓋４３を開ければ、ごみ箱内に落下させて捨てることができる。また、この状態で、ダストボックス１０内を容易に清掃することができる。
【００４５】
次に、本実施形態の電気掃除機における塵埃及び空気のそれぞれの流れについて説明する。
【００４６】
掃除機本体１の外部から吸引される塵埃を含む空気は、図３に示されるように、連結口４から吸気管１５を通してダストボックス１０内に入り、ダストボックス１０の内壁に沿って旋回する。具体的には、第１サイクロン空間２２内部において、空気が旋回しながら外側フィルタフィクスチャ１１のフィルタ内部へ流れ、分離された塵埃は隙間２１を通って下方に落ち、ダストボックス１０底部の外側集塵部２３に堆積する。
【００４７】
同様に、外側フィルタフィクスチャ１１のフィルタ内部に流れた空気もさらに旋回する。具体的には、第２サイクロン空間４０内部において、空気が旋回しながら遠心分離によって細塵を分離し、分離された細塵は内側フィルタフィクスチャ１２の内壁に沿って下方に落下し、内側集塵部３９に堆積する。」
　
（ウ）　図１には集塵装置を備えた電気掃除機における掃除機本体の側面図が示され，図５には集塵装置を示す斜視図が示され，図６には集塵装置の側面側から見た中央縦断面図が示され，図７には集塵装置の前面側から見た中央縦断面図が示されている。
　
　これらの事項を総合すると，引用例２には次の事項（以下，「引用例２記載事項」という。）が記載されているものと認められる。
　
「外側集塵部２３と内側集塵部３９との間を密閉するパッキン４８が設けられたサイクロン式の集塵装置」
　
４　対比
　そこで，本願発明と引用発明とを対比する。
　まず，機能・構造からして，引用発明の「ゴミ混じり空気を流し環状スペースＳの周囲に流れて遠心力を発生するゴミ混じり空気の入り口４４を有し，サイクロン状の空気流れによって取り除かれたゴミ屑を回収するゴミカップ部分３６」は本願発明の「塵埃を含む空気を導入し内周面に沿って旋回させる導入口を有し、旋回により分離された塵埃を収容する集塵容器」に相当し，以下同様に，「ゴミカップ部分３６の内側に配設され比較的クリーンな空気が流れ込む吸気開口６８を有し，該吸気開口６８が空気流れを作るほぼ円筒形に構成されたプレフィルター６６および内側支持体６４」は「集塵容器の内部に設けられ分離後の空気を排気するための内筒排気口が形成され、該排気口を介して排気する内筒」に，「サイクロン状の空気流れを発生するゴミ回収容器３０」は「サイクロン集塵装置」に，「プレフィルター６６および内側支持体６４は，前記ゴミカップ部分３６の底壁３７から配設されるほぼ円筒形に構成され」た態様は「内筒は、前記集塵容器の底部まで延設される中空円筒を有し」た態様に，「前記プレフィルター６６および内側支持体６４の上部には，該吸気開口６８を介して排気された空気を濾過して排気するフィルター５２，および前記フィルター５２にて濾過されたゴミ屑をクリーニングするクリカー１３０を有し」た態様は「前記内筒の上部には、該排気口を介して排気された空気を濾過して排気する上部フィルタ、および前記上部フィルタにて濾過された塵埃を除塵する除塵部材を有し」た態様に，「前記ゴミカップ部分の底壁３７には、当該底壁３７より突出し、前記プレフィルター６６および内側支持体６４のほぼ円筒形部に挿入される突出状部」（を有する態様）は「前記集塵容器の底部には、当該底部より突出し、前記内筒の中空円筒に挿入される突出部」（を有する態様）に，それぞれ相当している。
　つぎに，本願発明の「該突出部の外周に設けられ隙間を埋めるシール部材を有し」た態様と引用発明の「該突出状部の外周に位置するリング状の部材を有し」た態様とは「該突出部の外周に設けられた部材を有し」た態様で共通している。
　さらに，本願発明の「前記除塵部材により除塵されて前記上部フィルタから落下した塵埃は，前記集塵容器の底部に収容される」態様と引用発明の「前記クリカー１３０によりクリーニングされてゴミ屑は前記フィルター５２からふるい落とされる」態様とは「前記除塵部材により除塵されて」「塵埃は」「前記上部フィルタから落下」する態様で共通している。
　
　したがって，両者は，
「塵埃を含む空気を導入し内周面に沿って旋回させる導入口を有し，旋回により分離された塵埃を収容する集塵容器，該集塵容器の内部に設けられ分離後の空気を排気するための内筒排気口が形成され，該排気口を介して排気する内筒を有するサイクロン集塵装置において，
　前記内筒は，前記集塵容器の底部まで延設される中空円筒を有し，
　前記内筒の上部には，該排気口を介して排気された空気を濾過して排気する上部フィルタ，および前記上部フィルタにて濾過された塵埃を除塵する除塵部材を有し，
　前記集塵容器の底部には，当該底部より突出し，前記内筒の中空円筒に挿入される突出部，および該突出部の外周に設けられた部材を有し，
　前記除塵部材により除塵されて塵埃は前記上部フィルタから落下するサイクロン集塵装置。」
である点で一致し，次の点で相違する。
　
［相違点１］
　「突出部の外周に設けられた部材」が，本願発明では，「隙間を埋めるシール部材」であるのに対して，引用発明では，「リング状の部材」がそのようなシール機能を有するか不明である点。
　
［相違点２］
　本願発明では，前記除塵部材により除塵されて前記上部フィルタから落下した塵埃は，「前記集塵容器の底部に収容される」のに対して，引用発明では，前記クリカー１３０によりクリーニングされて前記フィルター５２からふるい落とされるゴミ屑は，「前記ゴミカップ部分３６の底部に収容される」か不明である点。
　
５　判断
　上記相違点について検討する。
　
（１）　［相違点１］について
　引用発明は，内側支持体６４の下部の内側の粒子トラップ１２０とその外側の環状スペースＳを備えるものであって，「環状スペースＳの周囲に」「空気流が円形パターンまたは渦巻パターンで」「流れ，遠心力を発生する。この遠心力が，空気流内のゴミ屑を側壁３５に向けて外側に流動させ，これによってゴミ屑をゴミカップ部分３６に集める。」（引用例１の【００２２】参照。）ものである。仮に，引用発明の「突出状部の外周に位置する部材」により内側支持体６４の下部の内側と外側とが連通している場合，内側支持体６４の下部の内側の粒子トラップ１２０とその外側の環状スペースＳとの間に内側から外側あるいは外側から内側への空気流が生じることがあるから，ゴミカップ部分３６に集められたゴミ屑が，生じた空気流により舞い上がり，サイクロン状の空気流れによって取り除かれたゴミ屑を回収する機能を損なうこととなる。したがって，引用発明の「突出状部の外周に位置する部材」に，内側支持体６４の下部の内側と外側とが連通しないようにすること，そして，引用発明の具体化において，その連通しない機能を奏する部材として，シールする機能を有する一般的な部材といえる引用例２記載事項のようなパッキンとし，引用発明をして本願発明の上記相違点１に係る構成とすることは，当業者が容易に想到し得たことである。
　
（２）　［相違点２］について
　引用例１には，【００３１】〜【００３４】に，クリーンな空気が掃除機の通常の動作方向とは逆方向にフィルター５２の所定部分６０に流れることによるフィルター５２のクリーニング処理において，「クリーン処理すべきフィルター５２の各部分６０から追い出されたゴミは、内側支持体６４の粒子トラップ１２０に取り込まれる。」（【００３２】），及び，「フィルターの部分６０からクリーニング処理されたゴミ屑が、空気流から落下し、支持体６４の粒子トラップ１２０に取り込まれ、保持されることを確実にできる。従って、クリーニング処理サイクル時に、フィルター５２の所定部分６０からクリーニング処理された細かなゴミ屑粒子がフィルターの他の部分に付着することがなくなる。」（【００３３】）との空気圧によるクリーニング処理も記載されている。このことは，引用発明においてもクリカー１３０によりフィルター５２からクリーニング処理されたゴミ屑は粒子トラップ１２０すなわち，ゴミカップ部分３６の底部に取り込まれ，保持されることを確実にし，再びフィルターに付着することがなくなることを示唆するといえる。
　仮に，引用発明において「前記クリカー１３０によりクリーニングされて前記フィルター５２からふるい落とされるゴミ屑」がフィルター５２の近傍に漂うのであれば，クリーニング処理後の通常使用時の空気流れにより，再びフィルター５２にゴミ屑が捕集されるから，クリーニングの効果を失ってしまう。さらに，仮に，ゴミカップ部分３６までふるい落とされたゴミ屑が空気流れにより，再びフィルター５２にゴミ屑が捕集されるとしても，同様にクリーニングの効果を失ってしまう。そうすると，このような解釈は所期の目的に反し，不合理であるとともに，構造上このように解すべき理由もない。
　そして，引用発明のクリカー１３０によりクリーニングされて前記フィルター５２からふるい落とされたゴミ屑が「前記ゴミカップ部分３６の底部に収容され」，空気流れにより再びフィルター５２にゴミ屑が捕集されないのであれば，それによりクリーニングの目的に沿うことは当業者が当然に理解することといえる。
　そうすると，上記相違点２は実質的な相違点ではないか，引用発明をして本願発明の上記相違点２に係る構成とすることは，当業者が容易に想到し得たことである。
　
（３）　また，本願発明の全体構成により奏される効果も，引用発明及び引用例２記載事項から当業者が予測し得る範囲内のものである。
　
　したがって，本願発明は引用発明及び引用例２記載事項に基いて当業者が容易になし得たものである。
　
６　むすび
　以上のとおり，本願発明は，引用発明及び引用例２記載事項に基いて当業者が容易に発明をすることができたものであるので，特許法第２９条第２項の規定により特許を受けることができないため，本願の特許請求の範囲の他の請求項２ないし５に係る発明について検討するまでもなく，本願は，同法第４９条第２号の規定に該当し，拒絶をされるべきものである。
　よって，結論のとおり審決する。